(57)【要約】      （修正有）【課題】ディスクユニットの電子機器への固定を、電子機器に元来ある部材を利用して簡素化する。【解決手段】電子装置における光ディスクユニット８の実装領域の両側に、それぞれ複数設けられたガイドリブ２０Ｒ，２０Ｌを備え、ガイドリブ２０Ｒ，２０Ｌには実装領域への光ディスクユニット８の挿入方向に沿って実装領域の底面から突出する固定部と、固定部の光ディスクユニット８の挿入方向の下流側の一端から揺動可能に延伸された可動部とを設け、実装領域の片側に複数設けられたガイドリブ２０Ｒ，２０Ｌの最低１つの可動部の先端部近傍に、実装領域に光ディスクユニット８が完全に収容された状態で、光ディスクユニット８の側面に予め設けられているネジ穴８５に嵌合して光ディスクユニット８を係止する突起２０Ｐを設けた。【選択図】図３
2014029747.tif 000002
【特許請求の範囲】
【請求項１】
電子機器における実装ユニットの取付装置であって、
前記電子装置における前記実装ユニットの実装領域の両側に、それぞれ複数設けられたガイドリブを備え、
前記ガイドリブは、前記実装領域への前記実装ユニットの挿入方向に沿って、前記実装領域の底面から突出する固定部と、前記固定部の前記実装ユニットの挿入方向の下流側の一端から、揺動可能に延伸された可動部とを備え、
前記実装領域の片側に設けられた前記ガイドリブの可動部には、その少なくとも１つの先端部に前記実装領域側に突出する突起が設けられており、
前記突起の位置は、前記実装領域に前記実装ユニットが完全に収容された時に、前記実装ユニットの側面に設けられたネジ穴の位置にそれぞれ対応しており、
前記実装領域に前記実装ユニットが完全に収容された状態で、前記突起が前記ネジ穴にそれぞれ嵌合されることを特徴とする実装ユニットの取付装置。
【請求項２】
前記実装領域の底面が樹脂で形成され、前記ガイドリブは前記底面に一体的に同じ材質の樹脂で形成されていることを特徴とする請求項１に記載の実装ユニットの取付装置。
【請求項３】
前記ガイドリブは、前記実装領域の前記実装ユニットの挿入側の両側の対向位置に１つずつ、前記実装領域の奥側の両側の対向位置にそれぞれ１つずつ設けられていることを特徴とする請求項１又は２に記載の実装ユニットの取付装置。
【請求項４】
前記実装領域の前記実装ユニットの挿入側にある前記ガイドリブと、前記前記実装領域の前記実装ユニットの奥側にある前記ガイドリブの中間位置に、前記係止突起の無いガイドリブが設けられていることを特徴とする請求項３に記載の実装ユニットの取付装置。
【請求項５】
請求項１から４の何れか１項に記載の実装ユニットの取付装置を備えた電子機器。
【発明の詳細な説明】
【技術分野】
【０００１】
本出願は、ハードディスクドライブユニット、オプティカルディスクドライブユニット等のディスクドライブユニットを代表とする実装ユニットを電子機器の筐体内に取り付ける実装ユニットの取付装置及び該取付装置を備えた電子機器に関する。なお、以後、ディスクドライブユニットは単にディスクユニットと記し、オプティカルディスクは以後、光ディスクと記す。
【背景技術】
【０００２】
従来、電子機器は単体で置かれて使用されることがある他に、別の大きな装置に取り付けられて使用されることがある。後者の場合には、電子機器は取付装置を介して別の大きな装置に取り外し可能に設置される。この場合、電子機器はブラケット或いはアダプタと呼ばれる取付金具を介して大きな装置に設置される。例えば、電子機器が無線機本体で、アダプタを介して自動車、船舶等に搭載される例が特許文献１に開示されている。
【０００３】
一方、これとは逆に、電子機器の内部に小さな別の電子機器が実装ユニットとして実装されて使用される場合がある。この例としては、例えば、コンピュータのような電子機器にハードディスクユニットや光ディスクユニットが搭載されるものが挙げられる。そして、電子機器の内部に小さな別の実装ユニットが実装される場合は、小さな別の実装ユニットが取付金具によって電子機器の内部に固定される。実装ユニットが光ディスクユニットである場合の例を図１を用いて説明する。
【０００４】
図１（ａ）は、本出願の比較技術の電子機器９０の構成を示す分解斜視図であり、本図には電子機器本体９１と下側カバー及び電子機器本体９１のディスクユニット実装領域９２に収容される光ディスクユニット８が示されている。比較技術における電子機器９０では、図１（ｂ）に示すように光ディスクユニット８の１つの側面に入出力コネクタ８１と、光ディスクユニット８を電子機器本体９１に固定するための取付金具８２が設けられている。
【０００５】
取付金具８２は、光ディスクユニット８の１つの側面にネジ８３で固着されるベース部８２Ｂと、ベース部８２Ｂの中央部分の端部から延伸されたアーム部８２Ａとを備える。アーム部８２Ａにはネジ孔８２Ｃがある。光ディスクユニット８は、図１（ａ）に示すディスクユニット実装領域９２に実装された後に、取付金具８２のアーム部８２Ａがネジ孔を挿通させたネジ（図示せず）によって電子機器本体９１にあるディスクユニット固定穴９５に取り付けられて固定される。９４は電源コードである。このため、取付金具８２を使用して光ディスクユニット８をベース部８２Ｂに固定するためには３本のネジが用いられる。取付金具８２は光ディスクユニット８の入出力コネクタ８１と同じ側に無くても良いので、光ディスクユニット８の側面には通常、別の取付金具を取り付けるためのネジ穴が複数開けられている。
【０００６】
電子機器の内部に光ディスクユニットではなく、ハードディスクユニットを実装する場合でも同様であり、ハードディスクユニットに同様の取付金具が取り付けられ、電子機器内に実装された後に、取付金具でハードディスクユニットが電子機器に固定されている。
【先行技術文献】
【特許文献】
【０００７】
【特許文献１】特開昭６０−６０７９８号公報
【発明の概要】
【発明が解決しようとする課題】
【０００８】
ところが、近年のノートブック型のコンピュータは、薄型、形状、低価格が求められてきており、比較技術で説明したように取付金具でディスクユニットをコンピュータに実装する方式では対応が困難になってきている。即ち、装置を低価格で提供するために原価を削減する施策が必要となるが、品質は維持したまま原価を下げられる手法の模索が必須となる。このため、構造的性能は維持しつつ、ネジを削減したシンプルな装置構成については更なる進化が必須である。
【０００９】
１つの側面では、本出願は、ディスクユニット等の実装ユニットを内部に実装する電子機器において、実装ユニットの電子機器への固定を、ネジを使用することなく、電子機器に元来ある部材を利用して簡素化した実装ユニットの取付装置及び該取付装置を備えた電子機器の提供を目的とする。
【課題を解決するための手段】
【００１０】
１つの態様によれば、本出願は、電子機器における実装ユニットの取付装置であって、電子装置における実装ユニットの実装領域の両側に、それぞれ複数設けられたガイドリブを備え、ガイドリブは、実装領域への実装ユニットの挿入方向に沿って、実装領域の底面から突出する固定部と、固定部の実装ユニットの挿入方向の下流側の一端から、揺動可能に延伸された可動部とを備え、実装領域の片側に設けられたガイドリブの可動部には、その少なくとも１つの先端部に実装領域側に突出する突起が設けられており、突起の位置は、実装領域に実装ユニットが完全に収容された時に、実装ユニットの側面に設けられたネジ穴の位置にそれぞれ対応しており、実装領域に実装ユニットが完全に収容された状態で、突起がネジ穴にそれぞれ嵌合されることを特徴とする実装ユニットの取付装置である。
【００１１】
また、他の態様によれば、本出願は、電子機器における実装ユニットの取付装置であって、電子装置における実装ユニットの実装領域の両側に、それぞれ複数設けられたガイドリブを備え、ガイドリブは、実装領域への実装ユニットの挿入方向に沿って、実装領域の底面から突出する固定部と、固定部の実装ユニットの挿入方向の下流側の一端から、揺動可能に延伸された可動部とを備え、実装領域の片側に設けられたガイドリブの可動部には、その少なくとも１つの先端部に実装領域側に突出する突起が設けられており、突起の位置は、実装領域に実装ユニットが完全に収容された時に、実装ユニットの側面に設けられたネジ穴の位置にそれぞれ対応しており、実装領域に実装ユニットが完全に収容された状態で、突起がネジ穴にそれぞれ嵌合されることを特徴とする実装ユニットの取付装置を備えた電子機器である。
【図面の簡単な説明】
【００１２】
【図１】（ａ）は光ディスクユニットを備えた比較技術の電子機器の構成を示す分解斜視図、（ｂ）は（ａ）に示した光ディスクユニットの拡大図である。
【図２】（ａ）は本出願の電子機器の本体部分とこの本体部分に実装される光ディスクユニットを示す斜視図、（ｂ）は（ａ）に示した光ディスクユニットを上下を逆にしてみた斜視図である。
【図３】図２に示した光ディスクユニットの、ハブが設けられた面を除く５つの面を示す５面図とガイドリブを示す説明図である。
【図４】（ａ）は図２（ａ）に示した電子機器の本体部分の要部を抜き出して示す斜視図であり、（ｂ）は（ａ）のＡ部の部分拡大図、（ｃ）は（ａ）に示した部位を反対側の方向から見た斜視図、（ｄ）は（ｃ）のＢ部の部分拡大図である。
【図５】（ａ）は図２（ａ）に示した電子機器の本体部分の要部を抜き出して示す平面図、（ｂ）は（ａ）のＡ−Ａ線から見た側面図、（ｃ）は（ａ）のＢ−Ｂ線から見た側面図である。
【図６】（ａ）は図５（ａ）に示した電子機器の本体部分に光ディスクユニットが実装された状態を示す平面図、（ｂ）は（ａ）のＣ部の拡大図である。
【図７】（ａ）は本出願の電子機器のディスクユニット実装領域におけるディスクユニット固定用の係止突起の配置の第１の実施例を示す部分拡大平面図、（ｂ）は（ａ）のＤ−Ｄ線における断面図、（ｃ）は（ａ）のＥ−Ｅ線における断面図である。
【図８】（ａ）は本出願の電子機器のディスクユニット実装領域におけるディスクユニット固定用の係止突起の配置の第２の実施例を示す部分拡大平面図、（ｂ）は（ａ）のＦ−Ｆ線における断面図である。
【図９】（ａ）は本出願の電子機器のディスクユニット実装領域におけるディスクユニット固定用の係止突起の配置の第３の実施例を示す部分拡大平面図、（ｂ）は（ａ）のＧ−Ｇ線における断面図である。
【図１０】（ａ）は本出願の電子機器のディスクユニット実装領域におけるディスクユニット固定用の係止突起の配置の第４の実施例を示す部分拡大平面図、（ｂ）は（ａ）のＨ−Ｈ線における断面図、（ｃ）は（ａ）のＪ−Ｊ線における断面図である。
【図１１】（ａ）は本出願の電子機器のディスクユニット実装領域におけるディスクユニット固定用の係止突起の配置の第５の実施例を示す部分拡大平面図、（ｂ）は（ａ）のＫ−Ｋ線における断面図、（ｃ）は（ａ）のＬ−Ｌ線における断面図である。
【図１２】（ａ）は本出願の電子機器に実装される別の例であるハードディスクユニットの底面図、（ｂ）は（ａ）に示したハードディスクユニットの底面を除く５面から見た５面図である。
【発明を実施するための形態】
【００１３】
以下、添付図面を用いて本出願の実施の形態を、具体的な実施例に基づいて詳細に説明する。なお、実装ユニットとしては媒体書込ユニット、媒体読取ユニット、ディスクユニット、光ディスクユニット、ハードディスクユニット等があるが、ここでは光ディスクユニットを代表例として説明する。
【００１４】
図２（ａ）は本出願に係る電子機器１の本体部分１０とこの本体部分１０に実装される光ディスクユニット８示す斜視図であり、図２（ｂ）は図２（ａ）に示した光ディスクユニット８を上下を逆にしてみた斜視図である。光ディスクユニット８は、図１（ａ）、（ｂ）で説明した汎用品であるが、入出力コネクタ８１がある側面に取付金具は設けられていない。光ディスクユニット８は、本体部分１０に設けられたディスクユニット実装領域１２にスライドさせて挿入され、本体部分１０に設けられた入出力コネクタ１１に、光ディスクユニット８の入出力コネクタ８１が接続される。８４は光ディスクユニット８内にある光ディスクを回転させるためのハブである。
【００１５】
光ディスクユニット８が、本体部分１０に設けられたディスクユニット実装領域１２に、スライドによって挿入される場合、ディスクユニット実装領域１２には一般に、光ディスクユニット８のスライド挿入を補助するガイドリブ２０が設けられている。ディスクユニット実装領域１２の底面が樹脂で形成されている場合、ガイドリブ２０は底面に一体的に形成された樹脂製の突条である。
【００１６】
図２（ｂ）に示すように、光ディスクユニットの筐体８０は、光ディスクを収容する上側筐体８０Ｕと、光学系や駆動系を収容する下側筐体８０Ｓを備えている。光ディスクユニット８が、本体部分１０に設けられたディスクユニット実装領域１２にスライドによって挿入される場合の、光ディスクユニット８の下側筐体８０Ｓの幅の方が上側筐体８０Ｕよりも狭い。
【００１７】
図３は、図２に示した光ディスクユニット８の、ハブ８４が設けられた面を除く５つの面を示す５面図とガイドリブを示す説明図であり、２点鎖線が光ディスクユニット８をディスクユニット実装領域に実装した時の底面の位置を示している。前述のように、光ディスクユニット８を矢印で示す方向に移動させてディスクユニット実装領域に実装する際に、先端部となる前面８０Ｆには入出力コネクタ８１が設けられている。また、前面８０Ｆと右側面８０Ｒと左側面８０Ｌにはネジ穴８５が設けられている。ネジ穴８５が設けられた右側面８０Ｒは下側筐体８０Ｓであり、ネジ穴８５が設けられた左側面８０Ｌは上側筐体で８０Ｕである。ネジ穴８５には一般にＭ２のタップネジが螺着される。
【００１８】
従って、光ディスクユニット８をディスクユニット実装領域に実装する際に、その底面に設けるガイドリブ２０は、右側のガイドリブ２０Ｒが右側面８０Ｒをガイドし、左側のガイドリブ２０Ｌが左側面８０Ｌをガイドする。このため、右側面８０Ｒをガイドするガイドリブ２０Ｒの底面からの高さｈの方が、左側面８０Ｌをガイドするガイドリブ２０Ｌの底面からの高さＨより低い。本出願では、ガイドリブ２０Ｌと２０Ｒの、光ディスクユニット８の挿入方向の下流側の端部を揺動可能に延長し、その先端部に光ディスクユニット８の左側面８０Ｌと右側面８０Ｒにそれぞれ設けられたネジ穴８５に嵌合させる突起２０Ｐを設けている。
【００１９】
以後このガイドリブ２０について詳細に説明するが、ガイドリブはディスクユニット実装領域における設置位置に応じてガイドリブ２１〜２５まであり、ガイドリブ２０はこれらの総称として使用している。また、各ガイドリブ２０〜２５において、符号Ｆがディスクユニット実装領域に固定される固定部を示し、符号Ｍが固定部に対して底面に平行な方向に揺動可能な可動部を示し、符号Ｐが可動部の先端部に設けられた嵌合用の突起を示している。
【００２０】
図４（ａ）は、図２（ａ）に示した電子機器１の本体部分１０の要部を抜き出して示す斜視図であり、図２（ｂ）は図２（ａ）のＡ部の部分拡大図である。また、図４（ｃ）は図４（ａ）に示した本体部分１０を反対側の方向から見た斜視図であり、図４（ｄ）は図４（ｃ）のＢ部の部分拡大図である。更に、図５（ａ）は図２（ａ）に示した電子機器１の本体部分１０の要部を抜き出して示す平面図であり、図５（ｂ）は図５（ａ）のＡ−Ａ線から見た側面図であり、図５（ｃ）は図５（ａ）のＢ−Ｂ線から見た側面図である。
【００２１】
この実施例では、ディスクユニット実装領域１２に５つのガイドリブ２０が設けられている。即ち、ディスクユニット実装領域１２の光ディスクユニット８を挿入する入口近傍の右側に第１のガイドリブ２１、左側に第２のガイドリブ２２、ディスクユニット実装領域１２の奥右側に第３のガイドリブ２３、奥左側に第４のガイドリブ２４が設けられている。更に、この実施例では、第２と第４のガイドリブ２２，２４の間に第５のガイドリブ２５が設けられている。このようにディスクユニット実装領域１２に複数のガイドリブ２０が設けられている理由は、ディスクユニット実装領域１２に実装される光ディスクユニット８が正しい実装位置に対して傾かないようにするためである。
【００２２】
電子機器がディスクユニットを内蔵するタイプであり、電子機器本体１０のディスクユニット実装領域１２に例えば光ディスクユニット８がスライドにより実装される場合、ディスクユニット実装領域１２の両側にはスライドガイドとしてのリブがあった。しかし、このリブは単に光ディスクユニット８をディスクユニット実装領域１２内の正しい位置にガイドするだけのものであり、ディスクユニット実装領域１２の底面１２Ｂから突出する突条であった。そして、光ディスクユニット８は、比較技術で説明したように取付金具で電子機器本体に固定されていた。
【００２３】
そこで、本出願では、ディスクユニットを内蔵する電子機器で、電子機器本体のディスクユニット実装領域に、ディスクユニットがスライドにより実装される場合、既存のガイドリブを利用してディスクユニット実装領域にディスクユニットを固定した。図４、図５に示す実施例では、第１のガイドリブ２１と第４のガイドリブ２４を用いて光ディスクユニット８をディスクユニット実装領域に固定しているので、ここでは第１のガイドリブ２１と第４のガイドリブ２４について説明する。なお、残りのガイドリブ２２、２３、２５は、光ディスクユニット８をガイドするだけのものであるので、これらのガイドリブには可動部は設けられていない。
【００２４】
図４（ｂ）、図５（ｂ）に示すように、ガイドリブ２１は、ディスクユニット実装領域１２の底面１２Ｂから突出する固定部２１Ｆと、固定部２１Ｆからディスクユニット実装領域１２の奥側に延伸された可動部２１Ｍを備える。そして、可動部２１Ｍの先端部側には、ディスクユニット実装領域１２の方向に突出する突起２１Ｐが形成されている。ガイドリブ２１は、図３で説明した光ディスクユニット８の下側筐体の右側面８０Ｒをガイドするものであり、ガイドリブ２０Ｒに対応する。よって、ガイドリブ２１は、底面１２Ｂからの高さが低く形成されている。
【００２５】
そして、ディスクユニット実装領域１２の底面１２Ｂは樹脂製である。よって、底面１２Ｂに一体的に形成されて底面１２Ｂから突出するガイドリブ２１も樹脂製である。このため、固定部２１Ｆから延伸された可動部２１Ｍは、突起２１Ｐが押されると、固定部２１Ｆに対してディスクユニット実装領域１２から外れる方向に移動して変形するバネ性を持つことができる。また、突起２１Ｐへの押圧力が無くなると、可動部２１Ｍは元の位置に戻る。従って、可動部２１Ｍは固定部２１Ｆに対して揺動可能である。可動部２１Ｍのバネ形状は調整でくるように金型構造をとっておく。
【００２６】
図４（ｄ）、図５（ｃ）に示すように、ガイドリブ２４は、ディスクユニット実装領域１２の底面から突出する固定部２４Ｆと、固定部２４Ｆの上側の端部からディスクユニット実装領域１２の奥側に延伸された可動部２４Ｍを備える。そして、可動部２４Ｍの先端部側には、ディスクユニット実装領域１２の方向に突出する突起２４Ｐが形成されている。ガイドリブ２４は、図３で説明した光ディスクユニット８の左側の筐体をガイドするものである。そして、光ディスクユニット８の左側の筐体には、上側筐体の左側面８０Ｌにネジ穴８５が設けられている。よって、ネジ穴８５に嵌合させる突起２４Ｐを備える可動部２４Ｍは、固定部２４Ｆの上側の端部からディスクユニット実装領域１２の奥側に延伸されている。ガイドリブ２４は、図３に示したガイドリブ２０Ｌに対応し、底面１２Ｂからの高さが高く形成されている。
【００２７】
底面１２Ｂに形成されて底面１２Ｂから突出するガイドリブ２４も樹脂製である。このため、固定部２４Ｆから延伸された可動部２４Ｍは、突起２４Ｐが押されると、固定部２４Ｆに対してディスクユニット実装領域１２から外れる方向に移動して変形するバネ性を持つことができる。また、突起２４Ｐへの押圧力が無くなると、可動部２４Ｍは元の位置に戻る。従って、可動部２４Ｍは固定部２４Ｆに対して揺動可能である。
【００２８】
なお、ガイドリブ２１，２４に設けられた突起２１Ｐ，２４Ｐは、光ディスクユニット８の側面にあるネジ穴８５に嵌合させるものであるので、その先端部の形状は、ネジのかかり量を考慮した円ボス形状となっている。光ディスクユニット８の側面にあるネジ穴８５は前述のようにＭ２のタップネジが螺着できる径を備えているが、製造メーカーによって、ネジ穴８５の深さは１．２ｍｍ〜１．５ｍｍの範囲で異なっている。但し、ネジ固定におけるネジかかり量は最小１．２ｍｍというのが共通仕様の為、突起２１Ｐ，２４Ｐの可動部２１Ｍ，２４Ｍからの高さは１．２ｍｍを最長とし、ユニットの挿抜性を見ながら微調整が必要な場合は実施すればよい。また、光ディスクユニット８をディスクユニット実装領域１２から取り出す時には、水平方向に嵌合力以上の引っ張り力を加えれば、可動部２１Ｍ，２４Ｍが変形することにより、突起２１Ｐ，２４Ｐとネジ穴８５の嵌合が外れ、光ディスクユニット８を取り出せる。
【００２９】
図６（ａ）は図２（ａ）に示した電子機器１の本体部分１０に光ディスクユニット８が実装された状態を示す平面図であり、図６（ｂ）は図６（ａ）のＣ部を部分的に拡大した図であり、図５（ａ）と同じ部位を示している。ディスクユニット実装領域１２に光ディスクユニット８がスライドされて挿入されると、光ディスクユニット８はまず、図５（ａ）に示したガイドリブ２１，２２にガイドされてディスクユニット実装領域１２内に進入する。
【００３０】
光ディスクユニット８の挿入に伴い、光ディスクユニット８の右側面がガイドリブ２１の可動部２１Ｍに設けられた突起２１Ｐに当接すると、可動部２１Ｍは固定部２１Ｆに対してディスクユニット実装領域１２の外側に撓む。この結果、突起２１Ｐが光ディスクユニット８の挿入を妨げない。光ディスクユニット８の挿入が更に進み、光ディスクユニット８の左側面がガイドリブ２４の可動部２４Ｍに設けられた突起２４Ｐに当接すると、可動部２４Ｍは固定部２４Ｆに対してディスクユニット実装領域１２の外側に撓む。この結果、突起２４Ｐが光ディスクユニット８の挿入を妨げない。
【００３１】
そして、光ディスクユニット８が完全にディスクユニット実装領域１２に挿入された図６（ｂ）に示す状態では、入出力コネクタ１１，８１が結合し、突起２１Ｐと２４Ｐは光ディスクユニット８の側面に設けられている前述のネジ穴に嵌合する。この結果、光ディスクユニット８はディスクユニット実装領域１２に固定される。入出力コネクタ１１，８１が結合する瞬間は硬くなる為、突起２１Ｐと２４Ｐがネジ穴に入り込むときにスライド操作が渋くなることがあっても入出力コネクタ１１，８１の嵌合重さで相殺される為、組立性への影響は無い。
【００３２】
ディスクユニット実装領域１２において、光ディスクユニット８を固定するガイドリブ２０の突起の数は、ディスクユニット実装領域１２における光ディスクユニット８の挿入方向の右側と左側で少なくとも１つずつあれば良い。ディスクユニット実装領域１２において図５（ａ）に示すように、５つのガイドリブ２１〜２５が設けられている場合、どのガイドリブ２０に光ディスクユニット８と嵌合する突起２０Ｐを設ければ良いかを示す実施例を図７から図１１を用いて説明する。
【００３３】
図７（ａ）はディスクユニット固定用の突起２０Ｐの配置の第１の実施例を示す部分拡大平面図であり、図７（ｂ）は図７（ａ）のＤ−Ｄ線における断面図であり、図７（ｃ）は図７（ａ）のＥ−Ｅ線における断面図である。第１の実施例では、ガイドリブ２１〜２５のうちの、ガイドリブ２１〜２４の４つのガイドリブに突起２１Ｐ，２２Ｐ，２３Ｐ，２４Ｐを設けている。従って、第１の実施例では光ディスクユニット８は、図７（ｂ）、（ｃ）に示すように４つのガイドリブに突起２１Ｐ，２２Ｐ，２３Ｐ，２４Ｐでディスクユニット実装領域１２に固定されることになる。
【００３４】
図８（ａ）はディスクユニット固定用の突起２０Ｐの配置の第２の実施例を示す部分拡大平面図であり、図８（ｂ）は図８（ａ）のＦ−Ｆ線における断面図である。第２の実施例では、ガイドリブ２１〜２５のうちの、ディスクユニット実装領域１２の光ディスクユニット８を挿入する入口側にあるガイドリブ２１，２２に突起２１Ｐ，２２Ｐを設けている。従って、第２の実施例では光ディスクユニット８は、図８（ｂ）に示すように２つのガイドリブに突起２１Ｐ，２２Ｐでディスクユニット実装領域１２に固定されることになる。
【００３５】
図９（ａ）はディスクユニット固定用の突起２０Ｐの配置の第３の実施例を示す部分拡大平面図であり、図９（ｂ）は図９（ａ）のＧ−Ｇ線における断面図である。第３の実施例では、ガイドリブ２１〜２５のうちの、ディスクユニット実装領域１２の光ディスクユニット８を挿入する側から遠い奥側にあるガイドリブ２３，２４に突起２３Ｐ，２４Ｐを設けている。従って、第３の実施例では光ディスクユニット８は、図９（ｂ）に示すように２つのガイドリブに突起２３Ｐ，２４Ｐでディスクユニット実装領域１２に固定されることになる。
【００３６】
図１０（ａ）はディスクユニット固定用の突起２０Ｐの配置の第４の実施例を示す部分拡大平面図であり、図１０（ｂ）は図１０（ａ）のＨ−Ｈ線における断面図であり、図１０（ｃ）は図１０（ａ）のＪ−Ｊ線における断面図である。第４の実施例では、ガイドリブ２１〜２５のうちの、ディスクユニット実装領域１２の光ディスクユニット８を挿入する入口側にあるガイドリブ２１と、奥側にあるガイドリブ２４に突起２１Ｐ，２４Ｐを設けている。第４の実施例は、図５で説明した実施例に対応する。従って、第４の実施例では光ディスクユニット８は、図１０（ｂ）、（ｃ）に示すように２つのガイドリブに突起２１Ｐ，２４Ｐでディスクユニット実装領域１２に固定されることになる。
【００３７】
図１１（ａ）はディスクユニット固定用の突起２０Ｐの配置の第５の実施例を示す部分拡大平面図であり、図１１（ｂ）は図１１（ａ）のＫ−Ｋ線における断面図であり、図１１（ｃ）は図１１（ａ）のＬ−Ｌ線における断面図である。第５の実施例では、ガイドリブ２１〜２５のうちの、ディスクユニット実装領域１２の入口側にあるガイドリブ２２と奥側にあるガイドリブ２３とに突起２２Ｐ，２３Ｐを設けている。従って、第５の実施例では光ディスクユニット８は、図１１（ｂ）、（ｃ）に示すように２つのガイドリブに突起２２Ｐ，２３Ｐでディスクユニット実装領域１２に固定されることになる。
【００３８】
図１２（ａ）は本出願の電子機器に実装される別の例であるハードディスクユニット３の底面３０を見た底面図であり、図１２（ｂ）は図１２（ａ）に示したハードディスクユニット２の底面３０を除く５面から見た５面図である。本出願の電子機器に実装されるディスクユニットは、光ディスクユニットの他に、ハードディスクユニット３でも良い。図１２（ｂ）には、ハードディスクユニット３の、入出力コネクタ３１を備えた正面３２、ネジ穴３５が設けられた２つの側面３３，３４、頂面３６及び背面３７が示されている。また、二点鎖線で示す位置がディスクユニット実装領域１２の底面１２Ｂの位置である。
【００３９】
ディスクユニットがハードディスクユニット３である場合には、図１２に示されるように、２つの側面３３，３４に設けられたネジ穴３５の、底面１２Ｂからの高さは同じである。従って、ディスクユニットがハードディスクユニット３である場合には、ディスクユニット実装領域１２の両側に設けるガイドリブには、鏡像関係にある同形状のガイドリブを使用することができる。また、本出願はディスクユニットのほか、媒体書込ユニットや媒体読取ユニットに適用できることは明らかである。
【００４０】
以上説明したように、本出願における実装ユニットの固定装置は、電子機器の筐体にあるユニット実装領域にある実装ユニットのスライドガイドリブの一部を片持ちバネ構造とし、その部分に実装ユニットに嵌合する突起を設けている。このため、本出願の実装ユニットの取付装置によれば、構造がシンプルで、且つブラケットやネジ等の部品数が削減され、実装ユニットの取付工数も削減することが可能であり、保守性が向上する。
【００４１】
以上、本出願を特にその好ましい実施の形態を参照して詳細に説明した。本出願の容易な理解のために、本出願の具体的な形態を以下に付記する。
【００４２】
（付記１）  電子機器における実装ユニットの取付装置であって、
前記電子装置における前記実装ユニットの実装領域の両側に、それぞれ複数設けられたガイドリブを備え、
前記ガイドリブは、前記実装領域への前記実装ユニットの挿入方向に沿って、前記実装領域の底面から突出する固定部と、前記固定部の前記実装ユニットの挿入方向の下流側の一端から、揺動可能に延伸された可動部とを備え、
前記実装領域の片側に設けられた前記ガイドリブの可動部には、その少なくとも１つの先端部に前記実装領域側に突出する突起が設けられており、
前記突起の位置は、前記実装領域に前記実装ユニットが完全に収容された時に、前記実装ユニットの側面に設けられたネジ穴の位置にそれぞれ対応しており、
前記実装領域に前記実装ユニットが完全に収容された状態で、前記突起が前記ネジ穴にそれぞれ嵌合されることを特徴とする実装ユニットの取付装置。
（付記２）  前記実装領域の底面が樹脂で形成され、前記ガイドリブは前記底面に一体的に同じ材質の樹脂で形成されていることを特徴とする付記１に記載の実装ユニットの取付装置。
（付記３）  前記ガイドリブは、前記実装領域の前記実装ユニットの挿入側の両側の対向位置に１つずつ、前記実装領域の奥側の両側の対向位置にそれぞれ１つずつ設けられていることを特徴とする付記１又は２に記載の実装ユニットの取付装置。
（付記４）  前記係止突起は全ての前記ガイドリブの可動部に設けられていることを特徴とする付記３に記載の実装ユニットの取付装置。
（付記５）  前記係止突起は前記実装領域の前記実装ユニットの挿入側の両側の対向位置にある前記ガイドリブの可動部に設けられていることを特徴とする付記３に記載の実装ユニットの取付装置。
【００４３】
（付記６）  前記係止突起は前記実装領域の前記実装ユニットの奥側の両側の対向位置にある前記ガイドリブの可動部に設けられていることを特徴とする付記３に記載の実装ユニットの取付装置。
（付記７）  前記係止突起は前記実装領域の前記実装ユニットの挿入側に位置する前記ガイドリブの可動部の何れか一方に１つと、前記実装ユニットの奥側の他方の側にある前記ガイドリブの可動部に設けられていることを特徴とする付記３に記載の実装ユニットの取付装置。
（付記８）  前記実装領域の前記実装ユニットの挿入側にある前記ガイドリブと、前記前記実装領域の前記実装ユニットの奥側にある前記ガイドリブの中間位置に、前記係止突起の無いガイドリブが設けられていることを特徴とする付記３から７の何れかに記載の実装ユニットの取付装置。
（付記９）  前記実装ユニットがオプティカルディスクユニットであり、前記ガイドリブは前記オプティカルディスクユニットの挿入方向の左右で前記底面からの高さが異なることを特徴とする付記１から８の何れかに記載の実装ユニットの取付装置。
（付記１０）  前記実装ユニットがハードディスクユニットであり、前記ガイドリブは前記ハードディスクユニットの挿入方向の左右で前記底面からの高さが同じであることを特徴とする付記１から８の何れかに記載の実装ユニットの取付装置。
【００４４】
（付記１１）  前記実装ユニットの側面に予め設けられているネジ穴が、前記実装ユニット固定用に前記実装ユニットの側面に存在するネジ穴であることを特徴とする付記１から１０の何れかに記載の実装ユニットの取付装置。
（付記１２）  付記１から１１の何れかに記載の実装ユニットの取付装置を備えた電子機器。
【符号の説明】
【００４５】
１    本出願の電子機器
８    オプティカル（光）ディスクユニット（実装ユニット）
１０    電子機器本体
１１    入出力コネクタ
１２    ディスクユニット実装領域
２０、２１，２２，２３，２４，２５    ガイドリブ
８１    入出力コネクタ
８５    ネジ穴
【図１】
2014029747.tif 000003
【図２】
2014029747.tif 000004
【図３】
2014029747.tif 000005
【図４】
2014029747.tif 000006
【図５】
2014029747.tif 000007
【図６】
2014029747.tif 000008
【図７】
2014029747.tif 000009
【図８】
2014029747.tif 000010
【図９】
2014029747.tif 000011
【図１０】
2014029747.tif 000012
【図１１】
2014029747.tif 000013
【図１２】
2014029747.tif 000014